【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
２つ以上のアンテナを有するユーザ機器によって実施される通信のための方法であって、
第１の通信チャネルを介した第１のアクセスポイントとの通信のための前記２つ以上のアンテナのアンテナサブセットの第１のセットを識別することと、
第２の通信チャネルを介した第２のアクセスポイントとの通信のための前記２つ以上のアンテナのアンテナサブセットの第２のセットを識別することと、
前記アンテナサブセットの第１のセットについての前記第１の通信チャネルのための、および、前記アンテナサブセットの第２のセットについての前記第２の通信チャネルのための、チャネル推定値を決定することと、
前記決定されたチャネル推定値に少なくとも部分的に基づいて、チャネルレート情報を報告することと、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信することと
を備える方法。
【請求項２】
前記報告することが、
前記第１のアクセスポイントに、前記第１の通信チャネルの前記第３のチャネルレートを報告すること
を備える、請求項１に記載の方法。
【請求項３】
前記第１のアクセスポイントのための第１の負荷重みと、前記第２のアクセスポイントのための第２の負荷重みとを決定することと、
前記第１の負荷重みと前記第２の負荷重みとにさらに基づいて、前記第１の通信チャネルと前記第２の通信チャネルとの前記最大合計容量を決定することと
をさらに備える、請求項２に記載の方法。
【請求項４】
前記報告することが、前記第１のアクセスポイントに、前記第１の通信チャネルのための前記第１のチャネルレートを報告することを備え、前記第１の通信チャネルのための前記第１のチャネルレートが、前記第１の通信チャネルの前記最大レートに関連付けられた第３のアンテナサブセットに関連付けられ、ここにおいて、前記少なくとも１つの送信を前記受信することが、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を備える、請求項１に記載の方法。
【請求項５】
前記報告することが、
前記第１のアクセスポイントに、前記第１の通信チャネルの前記第１のチャネルレートと前記第３のチャネルレートとを報告すること
を備える、請求項１に記載の方法。
【請求項６】
前記報告することが、
前記第２のアクセスポイントに、前記第２の通信チャネルの前記第２のチャネルレートと前記第４のチャネルレートとを報告すること
を備える、請求項５に記載の方法。
【請求項７】
前記少なくとも１つの送信を前記受信することが、
前記第１のアクセスポイントからアンテナ選択インジケータを受信することと、前記アンテナ選択インジケータが、アンテナ受信構成、アンテナサブセットインデックス、もしくはアンテナサブセットサイズのうちの１つ、またはそれらの組合せを指示する、
前記アンテナ選択インジケータに少なくとも部分的に基づいて、前記少なくとも１つの送信を受信するためのアンテナサブセットを決定することと
を備える、請求項５に記載の方法。
【請求項８】
前記アンテナ選択インジケータが、制御情報または構成メッセージのうちの１つにおいて受信される、請求項７に記載の方法。
【請求項９】
同時に、前記第１のアンテナサブセットを使用して前記第１の通信チャネルと、前記第２のアンテナサブセットを使用して前記第２の通信チャネルとを受信する能力のインジケータを送ること、または
前記第１のアクセスポイントがＬＴＥ／ＬＴＥ−Ａ  ｅＮＢを備え、前記第２のアクセスポイントがワイヤレスローカルエリアネットワーク（ＷＬＡＮ）アクセスポイントを備えること、をさらに備えた、請求項１に記載の方法。
【請求項１０】
第１のアクセスポイントとユーザ機器（ＵＥ）との間の第１の通信チャネル、および第２のアクセスポイントと前記ＵＥとの間の第２の通信チャネルのための、チャネルレート情報を受信することと、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、それぞれ第１のアンテナサブセットと第２の異なるアンテナサブセットとを使用する、前記第１の通信チャネルと前記第２の通信チャネルとの最大合計容量に基づく、
前記受信されたチャネルレートに少なくとも部分的に基づいて、前記第１の通信チャネルおよび前記第２の通信チャネルのための、前記ＵＥのためのスケジューリング優先順位メトリックを決定することと、
前記決定されたスケジューリング優先順位メトリックに基づいて、前記第１のアクセスポイントまたは前記第２のアクセスポイントのうちの少なくとも１つと前記ＵＥとの間の通信をスケジュールすることと
を備える方法。
【請求項１１】
前記受信されたチャネルレートが、前記第１の通信チャネルのための前記第３のチャネルレートを備え、ここにおいて、前記スケジューリング優先順位メトリックを決定することが、前記第１のアクセスポイントのための、前記ＵＥのための第１のスケジューリング優先順位メトリックを決定することと、前記第１のスケジューリング優先順位メトリックから独立して、前記第２のアクセスポイントのための、前記ＵＥのための第２のスケジューリング優先順位メトリックを決定すること、または
前記受信されたチャネルレートが、前記第１の通信チャネルのための前記第３のチャネルレートを備え、ここにおいて、前記スケジュールすることが、同時に前記第１のアクセスポイントおよび前記第２のアクセスポイントと前記ＵＥとの間の通信をスケジュールすること、または
前記受信されたチャネルレートが、前記第１の通信チャネルのための前記第１のチャネルレートを備え、ここにおいて、前記スケジュールすることが、直交リソースを使用して、前記第１のアクセスポイントおよび前記第２のアクセスポイントと前記ＵＥとの間の通信をスケジュールすること、または
前記受信されたチャネルレートが、前記第１の通信チャネルのための前記第１のチャネルレートと前記第３のチャネルレートとを備え、ここにおいて、前記ＵＥのための前記スケジューリング優先順位メトリックを決定することが、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定すること、または
前記スケジュールされた通信を受信するための、前記ＵＥのためのアンテナサブセットメトリックを識別することと、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送ること、または
同時に、前記第１のアンテナサブセットを使用して前記第１の通信チャネルと、前記第２のアンテナサブセットを使用して前記第２の通信チャネルとを受信する能力のインジケータを受信すること
をさらに備える、請求項１０に記載の方法。
【請求項１２】
ワイヤレス通信のための装置であって、
２つ以上のアンテナを有するユーザ機器（ＵＥ）について、前記２つ以上のアンテナのアンテナサブセットの第１のセットと、前記２つ以上のアンテナのアンテナサブセットの第２のセットとを識別するための手段と、前記アンテナサブセットの第１のセットおよび前記アンテナサブセットの第２のセットが、それぞれ、第１の通信チャネルを介した第１のアクセスポイントとの、および第２の通信チャネルを介した第２のアクセスポイントとの通信のためである、
前記アンテナサブセットの第１のセットについての前記第１の通信チャネルのための、および、前記アンテナサブセットの第２のセットについての前記第２の通信チャネルのための、チャネル推定値を決定するための手段と、
前記決定されたチャネル推定値に少なくとも部分的に基づいて、チャネルレート情報を報告するための手段と、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信するための手段と
を備える装置。
【請求項１３】
ワイヤレス通信のための装置であって、
第１のアクセスポイントとユーザ機器（ＵＥ）との間の第１の通信チャネル、および第２のアクセスポイントと前記ＵＥとの間の第２の通信チャネルのための、チャネルレート情報を受信するための手段と、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、前記第１の通信チャネルと前記第２の通信チャネルとの最大合計容量に基づく、
前記受信されたチャネルレート情報に少なくとも部分的に基づいて、前記第１の通信チャネルおよび前記第２の通信チャネルのための、前記ＵＥのためのスケジューリング優先順位メトリックを決定するための手段と、
前記決定されたスケジューリング優先順位メトリックに基づいて、前記第１のアクセスポイントまたは前記第２のアクセスポイントのうちの少なくとも１つと前記ＵＥとの間の通信をスケジュールするための手段と
を備える装置。
【請求項１４】
請求項１乃至９のいずれかのステップを実行するためのコードを備えた、ワイヤレス通信のためのコンピュータプログラム。
【請求項１５】
請求項１０乃至１１のいずれかのステップを実行するためのコードを備えたコンピュータプログラム。
【手続補正２】
【補正対象書類名】明細書
【補正対象項目名】０２０４
【補正方法】変更
【補正の内容】
【０２０４】
[0196]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
２つ以上のアンテナを有するユーザ機器によって実施される通信のための方法であって、
第１の通信チャネルを介した第１のアクセスポイントとの通信のための前記２つ以上のアンテナのアンテナサブセットの第１のセットを識別することと、
第２の通信チャネルを介した第２のアクセスポイントとの通信のための前記２つ以上のアンテナのアンテナサブセットの第２のセットを識別することと、
前記アンテナサブセットの第１のセットについての前記第１の通信チャネルのための、および、前記アンテナサブセットの第２のセットについての前記第２の通信チャネルのための、チャネル推定値を決定することと、
前記決定されたチャネル推定値に少なくとも部分的に基づいて、チャネルレート情報を報告することと、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信することと
を備える方法。
［Ｃ２］
前記報告することが、
前記第１のアクセスポイントに、前記第１の通信チャネルの前記第３のチャネルレートを報告すること
を備える、Ｃ１に記載の方法。
［Ｃ３］
前記第１のアクセスポイントのための第１の負荷重みと、前記第２のアクセスポイントのための第２の負荷重みとを決定することと、
前記第１の負荷重みと前記第２の負荷重みとにさらに基づいて、前記第１の通信チャネルと前記第２の通信チャネルとの前記最大合計容量を決定することと
をさらに備える、Ｃ２に記載の方法。
［Ｃ４］
前記報告することが、前記第１のアクセスポイントに、前記第１の通信チャネルのための前記第１のチャネルレートを報告することを備え、前記第１の通信チャネルのための前記第１のチャネルレートが、前記第１の通信チャネルの前記最大レートに関連付けられた第３のアンテナサブセットに関連付けられ、ここにおいて、前記少なくとも１つの送信を前記受信することが、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を備える、Ｃ１に記載の方法。
［Ｃ５］
前記報告することが、
前記第１のアクセスポイントに、前記第１の通信チャネルの前記第１のチャネルレートと前記第３のチャネルレートとを報告すること
を備える、Ｃ１に記載の方法。
［Ｃ６］
前記報告することが、
前記第２のアクセスポイントに、前記第２の通信チャネルの前記第２のチャネルレートと前記第４のチャネルレートとを報告すること
を備える、Ｃ５に記載の方法。
［Ｃ７］
前記少なくとも１つの送信を前記受信することが、
前記第１のアクセスポイントからアンテナ選択インジケータを受信することと、前記アンテナ選択インジケータが、アンテナ受信構成、アンテナサブセットインデックス、もしくはアンテナサブセットサイズのうちの１つ、またはそれらの組合せを指示する、
前記アンテナ選択インジケータに少なくとも部分的に基づいて、前記少なくとも１つの送信を受信するためのアンテナサブセットを決定することと
を備える、Ｃ５に記載の方法。
［Ｃ８］
前記アンテナ選択インジケータが、制御情報または構成メッセージのうちの１つにおいて受信される、Ｃ７に記載の方法。
［Ｃ９］
同時に、前記第１のアンテナサブセットを使用して前記第１の通信チャネルと、前記第２のアンテナサブセットを使用して前記第２の通信チャネルとを受信する能力のインジケータを送ること
をさらに備える、Ｃ１に記載の方法。
［Ｃ１０］
前記第１のアクセスポイントがＬＴＥ／ＬＴＥ−Ａ  ｅＮＢを備え、前記第２のアクセスポイントがワイヤレスローカルエリアネットワーク（ＷＬＡＮ）アクセスポイントを備える、Ｃ１に記載の方法。
［Ｃ１１］
第１のアクセスポイントとユーザ機器（ＵＥ）との間の第１の通信チャネル、および第２のアクセスポイントと前記ＵＥとの間の第２の通信チャネルのための、チャネルレート情報を受信することと、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、それぞれ第１のアンテナサブセットと第２の異なるアンテナサブセットとを使用する、前記第１の通信チャネルと前記第２の通信チャネルとの最大合計容量に基づく、
前記受信されたチャネルレートに少なくとも部分的に基づいて、前記第１の通信チャネルおよび前記第２の通信チャネルのための、前記ＵＥのためのスケジューリング優先順位メトリックを決定することと、
前記決定されたスケジューリング優先順位メトリックに基づいて、前記第１のアクセスポイントまたは前記第２のアクセスポイントのうちの少なくとも１つと前記ＵＥとの間の通信をスケジュールすることと
を備える方法。
［Ｃ１２］
前記受信されたチャネルレートが、前記第１の通信チャネルのための前記第３のチャネルレートを備え、ここにおいて、前記スケジューリング優先順位メトリックを決定することが、前記第１のアクセスポイントのための、前記ＵＥのための第１のスケジューリング優先順位メトリックを決定することと、前記第１のスケジューリング優先順位メトリックから独立して、前記第２のアクセスポイントのための、前記ＵＥのための第２のスケジューリング優先順位メトリックを決定することとを備える、Ｃ１１に記載の方法。
［Ｃ１３］
前記受信されたチャネルレートが、前記第１の通信チャネルのための前記第３のチャネルレートを備え、ここにおいて、前記スケジュールすることが、同時に前記第１のアクセスポイントおよび前記第２のアクセスポイントと前記ＵＥとの間の通信をスケジュールすることを備える、Ｃ１１に記載の方法。
［Ｃ１４］
前記受信されたチャネルレートが、前記第１の通信チャネルのための前記第１のチャネルレートを備え、ここにおいて、前記スケジュールすることが、直交リソースを使用して、前記第１のアクセスポイントおよび前記第２のアクセスポイントと前記ＵＥとの間の通信をスケジュールすることを備える、Ｃ１１に記載の方法。
［Ｃ１５］
前記受信されたチャネルレートが、前記第１の通信チャネルのための前記第１のチャネルレートと前記第３のチャネルレートとを備え、ここにおいて、前記ＵＥのための前記スケジューリング優先順位メトリックを決定することが、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定することを備える、Ｃ１１に記載の方法。
［Ｃ１６］
前記スケジュールされた通信を受信するための、前記ＵＥのためのアンテナサブセットメトリックを識別することと、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送ることと
をさらに備える、Ｃ１１に記載の方法。
［Ｃ１７］
同時に、前記第１のアンテナサブセットを使用して前記第１の通信チャネルと、前記第２のアンテナサブセットを使用して前記第２の通信チャネルとを受信する能力のインジケータを受信すること
をさらに備える、Ｃ１１に記載の方法。
［Ｃ１８］
ワイヤレス通信のための装置であって、
２つ以上のアンテナを有するユーザ機器（ＵＥ）について、前記２つ以上のアンテナのアンテナサブセットの第１のセットと、前記２つ以上のアンテナのアンテナサブセットの第２のセットとを識別するための手段と、前記アンテナサブセットの第１のセットおよび前記アンテナサブセットの第２のセットが、それぞれ、第１の通信チャネルを介した第１のアクセスポイントとの、および第２の通信チャネルを介した第２のアクセスポイントとの通信のためである、
前記アンテナサブセットの第１のセットについての前記第１の通信チャネルのための、および、前記アンテナサブセットの第２のセットについての前記第２の通信チャネルのための、チャネル推定値を決定するための手段と、
前記決定されたチャネル推定値に少なくとも部分的に基づいて、チャネルレート情報を報告するための手段と、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信するための手段と
を備える装置。
［Ｃ１９］
前記報告するための手段が、前記第１のアクセスポイントに、前記第１の通信チャネルの前記第３のチャネルレートを報告する、Ｃ１８に記載の装置。
［Ｃ２０］
前記第１のアクセスポイントのための第１の負荷重みと、前記第２のアクセスポイントのための第２の負荷重みとを決定するための手段と、
前記第１の負荷重みと前記第２の負荷重みとにさらに基づいて、前記第１の通信チャネルと前記第２の通信チャネルとの前記最大合計容量を決定するための手段と
をさらに備える、Ｃ１９に記載の装置。
［Ｃ２１］
前記報告するための手段が、前記第１のアクセスポイントに、前記第１の通信チャネルのための前記第１のチャネルレートを報告し、前記第１の通信チャネルのための前記第１のチャネルレートが、第３のアンテナサブセットに関連付けられ、ここにおいて、前記少なくとも１つの送信を受信するための前記手段が、前記第３のアンテナサブセットを使用して、第１の時間間隔内で前記第１のアクセスポイントからの送信を受信し、前記第２のチャネルレートに関連付けられた第４のアンテナサブセットを使用して、前記第１の時間間隔とは異なる第２の時間間隔内で前記第２のアクセスポイントからの送信を受信する、Ｃ１８に記載の装置。
［Ｃ２２］
前記報告するための手段が、前記第１のアクセスポイントに、前記第１の通信チャネルの前記第１のチャネルレートと前記第３のチャネルレートとを報告する、Ｃ１８に記載の装置。
［Ｃ２３］
前記少なくとも１つの送信を受信するための前記手段が、前記第１のアクセスポイントからアンテナ選択インジケータを受信し、前記アンテナ選択インジケータが、アンテナ受信構成、アンテナサブセットインデックス、もしくはアンテナサブセットサイズのうちの１つ、またはそれらの組合せを指示し、ここにおいて、前記第１のアンテナサブセットと前記第２のアンテナサブセットとを識別するための前記手段が、前記アンテナ選択インジケータに少なくとも部分的に基づいて、前記少なくとも１つの送信を受信するためのアンテナサブセットを決定する、Ｃ２２に記載の装置。
［Ｃ２４］
前記アンテナ選択インジケータが、制御情報または構成メッセージのうちの１つにおいて受信される、Ｃ２３に記載の装置。
［Ｃ２５］
同時に、前記第１のアンテナサブセットを使用して前記第１の通信チャネルと、前記第２のアンテナサブセットを使用して前記第２の通信チャネルとを受信する能力のインジケータを送るための手段
をさらに備える、Ｃ１８に記載の装置。
［Ｃ２６］
前記第１のアクセスポイントがＬＴＥ／ＬＴＥ−Ａ  ｅＮＢを備え、前記第２のアクセスポイントがワイヤレスローカルエリアネットワーク（ＷＬＡＮ）アクセスポイントを備える、Ｃ１８に記載の装置。
［Ｃ２７］
ワイヤレス通信のための装置であって、
第１のアクセスポイントとユーザ機器（ＵＥ）との間の第１の通信チャネル、および第２のアクセスポイントと前記ＵＥとの間の第２の通信チャネルのための、チャネルレート情報を受信するための手段と、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、前記第１の通信チャネルと前記第２の通信チャネルとの最大合計容量に基づく、
前記受信されたチャネルレート情報に少なくとも部分的に基づいて、前記第１の通信チャネルおよび前記第２の通信チャネルのための、前記ＵＥのためのスケジューリング優先順位メトリックを決定するための手段と、
前記決定されたスケジューリング優先順位メトリックに基づいて、前記第１のアクセスポイントまたは前記第２のアクセスポイントのうちの少なくとも１つと前記ＵＥとの間の通信をスケジュールするための手段と
を備える装置。
［Ｃ２８］
前記受信されたチャネルレート情報が、前記第１の通信チャネルのための前記第３のチャネルレートを備え、ここにおいて、前記スケジューリング優先順位メトリックを決定するための前記手段が、前記第１のアクセスポイントのための、前記ＵＥのための第１のスケジューリング優先順位メトリックを決定し、前記第１のスケジューリング優先順位メトリックから独立して、前記第２のアクセスポイントのための、前記ＵＥのための第２のスケジューリング優先順位メトリックを決定する、Ｃ２７に記載の装置。
［Ｃ２９］
前記受信されたチャネルレート情報が、前記第１の通信チャネルのための前記第３のチャネルレートを備え、ここにおいて、前記スケジュールするための手段が、同時に前記第１のアクセスポイントおよび前記第２のアクセスポイントと前記ＵＥとの間の通信をスケジュールする、Ｃ２７に記載の装置。
［Ｃ３０］
前記受信されたチャネルレート情報が、前記第１の通信チャネルのための前記第１のチャネルレートを備え、ここにおいて、前記スケジュールするための手段が、直交リソースを使用して、前記第１のアクセスポイントおよび前記第２のアクセスポイントと前記ＵＥとの間の通信をスケジュールする、Ｃ２７に記載の装置。
［Ｃ３１］
前記受信されたチャネルレート情報が、前記第１の通信チャネルのための前記第１のチャネルレートと前記第３のチャネルレートとを備え、ここにおいて、前記ＵＥのための前記スケジューリング優先順位メトリックを決定するための前記手段が、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定する、Ｃ２７に記載の装置。
［Ｃ３２］
前記スケジュールされた通信を受信するための、前記ＵＥのためのアンテナサブセットメトリックを識別するための手段と、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送るための手段と
をさらに備える、Ｃ２７に記載の装置。
［Ｃ３３］
前記受信するための手段が、同時に、前記第１のアンテナサブセットを使用して前記第１の通信チャネルと、前記第２のアンテナサブセットを使用して前記第２の通信チャネルとを受信する能力のインジケータを受信する、Ｃ２７に記載の装置。
［Ｃ３４］
ワイヤレス通信のためのデバイスであって、
プロセッサと、
前記プロセッサと電子通信しているメモリと、前記メモリが命令を具現化し、前記命令が、
２つ以上のアンテナを有するユーザ機器について、第１の通信チャネルを介した第１のアクセスポイントとの通信のためのアンテナサブセットの第１のセットを識別することと、
第２の通信チャネルを介した第２のアクセスポイントとの通信のための前記２つ以上のアンテナのアンテナサブセットの第２のセットを識別することと、
前記アンテナサブセットの第１のセットについての前記第１の通信チャネルのための、および、前記アンテナサブセットの第２のセットについての前記第２の通信チャネルのための、チャネル推定値を決定することと、
前記決定されたチャネル推定値に少なくとも部分的に基づいて、チャネルレート情報を報告することと、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信することと
を行うように前記プロセッサによって実行可能である
を備えるデバイス。
［Ｃ３５］
前記メモリが、
前記第１のアクセスポイントに、前記第１の通信チャネルの前記第３のチャネルレートを報告すること
を行うように前記プロセッサによって実行可能である命令をさらに具現化する、Ｃ３４に記載のデバイス。
［Ｃ３６］
前記メモリが、
前記第１のアクセスポイントのための第１の負荷重みと、前記第２のアクセスポイントのための第２の負荷重みとを決定することと、
前記第１の負荷重みと前記第２の負荷重みとにさらに基づいて、前記第１の通信チャネルと前記第２の通信チャネルとの前記最大合計容量を決定することと
を行うように前記プロセッサによって実行可能である命令をさらに具現化する、Ｃ３５に記載のデバイス。
［Ｃ３７］
前記メモリが、
前記第１のアクセスポイントに、前記第１の通信チャネルのための前記第１のチャネルレートを報告することと、前記第１の通信チャネルのための前記第１のチャネルレートが、前記第１の通信チャネルの前記最大レートに関連付けられた第３のアンテナサブセットに関連付けられる、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を行うように前記プロセッサによって実行可能である命令をさらに具現化する、Ｃ３４に記載のデバイス。
［Ｃ３８］
前記メモリが、
前記第１のアクセスポイントに、前記第１の通信チャネルの前記第１のチャネルレートと前記第３のチャネルレートとを報告すること
を行うように前記プロセッサによって実行可能である命令をさらに具現化する、Ｃ３４に記載のデバイス。
［Ｃ３９］
前記メモリが、
前記第１のアクセスポイントからアンテナ選択インジケータを受信することと、前記アンテナ選択インジケータが、アンテナ受信構成、アンテナサブセットインデックス、もしくはアンテナサブセットサイズのうちの１つ、またはそれらの組合せを指示する、
前記アンテナ選択インジケータに少なくとも部分的に基づいて、前記少なくとも１つの送信を受信するためのアンテナサブセットを決定することと
を行うように前記プロセッサによって実行可能である命令をさらに具現化する、Ｃ３８に記載のデバイス。
［Ｃ４０］
ワイヤレス通信のためのデバイスであって、
プロセッサと、
前記プロセッサと電子通信しているメモリと、前記メモリが命令を具現化し、前記命令が、
第１のアクセスポイントとユーザ機器（ＵＥ）との間の第１の通信チャネル、および第２のアクセスポイントと前記ＵＥとの間の第２の通信チャネルのための、チャネルレート情報を受信することと、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、前記第１の通信チャネルと前記第２の通信チャネルとの最大合計容量に基づく、
前記受信されたチャネルレートに少なくとも部分的に基づいて、前記第１の通信チャネルおよび前記第２の通信チャネルのための、前記ＵＥのためのスケジューリング優先順位メトリックを決定することと、
前記決定されたスケジューリング優先順位メトリックに基づいて、前記第１のアクセスポイントまたは前記第２のアクセスポイントのうちの少なくとも１つと前記ＵＥとの間の通信をスケジュールすることと
を行うように前記プロセッサによって実行可能である
を備えるデバイス。
［Ｃ４１］
前記受信されたチャネルレートが、前記第１の通信チャネルのための前記第３のチャネルレートを備え、ここにおいて、前記メモリが、前記第１のアクセスポイントのための、前記ＵＥのための第１のスケジューリング優先順位メトリックを決定することと、前記第１のスケジューリング優先順位メトリックから独立して、前記第２のアクセスポイントのための、前記ＵＥのための第２のスケジューリング優先順位メトリックを決定することとを行うように、前記プロセッサによって実行可能である命令をさらに具現化する、Ｃ４０に記載のデバイス。
［Ｃ４２］
前記受信されたチャネルレートが、前記第１の通信チャネルのための前記第３のチャネルレートを備え、ここにおいて、前記メモリが、同時に前記第１のアクセスポイントおよび前記第２のアクセスポイントと前記ＵＥとの間の通信をスケジュールすることを行うように、前記プロセッサによって実行可能である命令をさらに具現化する、Ｃ４０に記載のデバイス。
［Ｃ４３］
前記受信されたチャネルレートが、前記第１の通信チャネルのための前記第１のチャネルレートを備え、ここにおいて、前記メモリが、直交リソースを使用して、前記第１のアクセスポイントおよび前記第２のアクセスポイントと前記ＵＥとの間の通信をスケジュールすることを行うように、前記プロセッサによって実行可能である命令をさらに具現化する、Ｃ４０に記載のデバイス。
［Ｃ４４］
前記受信されたチャネルレートが、前記第１の通信チャネルのための前記第１のチャネルレートと前記第３のチャネルレートとを備え、ここにおいて、前記メモリが、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定することを行うように、前記プロセッサによって実行可能である命令をさらに具現化する、Ｃ４０に記載のデバイス。
［Ｃ４５］
前記メモリが、
前記スケジュールされた通信を受信するための、前記ＵＥのためのアンテナサブセットメトリックを識別することと、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送ることと
を行うように前記プロセッサによって実行可能である命令をさらに具現化する、Ｃ４０に記載のデバイス。
［Ｃ４６］
ワイヤレス通信のためのコンピュータプログラム製品であって、
２つ以上のアンテナを有するユーザ機器（ＵＥ）について、第１の通信チャネルを介した第１のアクセスポイントとの通信のための前記２つ以上のアンテナのアンテナサブセットの第１のセットを識別することと、
第２の通信チャネルを介した第２のアクセスポイントとの通信のための前記２つ以上のアンテナのアンテナサブセットの第２のセットを識別することと、
前記アンテナサブセットの第１のセットについての前記第１の通信チャネルのための、および、前記アンテナサブセットの第２のセットについての前記第２の通信チャネルのための、チャネル推定値を決定することと、
前記決定されたチャネル推定値に少なくとも部分的に基づいて、チャネルレート情報を報告することと、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信することと
を行うためのコードを備える、非一時的コンピュータ可読媒体
を備えるコンピュータプログラム製品。
［Ｃ４７］
前記非一時的コンピュータ可読媒体が、
前記第１のアクセスポイントに、前記第１の通信チャネルの前記第３のチャネルレートを報告すること
を行うためのコードをさらに備える、Ｃ４６に記載のコンピュータプログラム製品。
［Ｃ４８］
前記非一時的コンピュータ可読媒体が、
前記第１のアクセスポイントのための第１の負荷重みと、前記第２のアクセスポイントのための第２の負荷重みとを決定することと、
前記第１の負荷重みと前記第２の負荷重みとにさらに基づいて、前記第１の通信チャネルと前記第２の通信チャネルとの前記最大合計容量を決定することと
を行うためのコードをさらに備える、Ｃ４７に記載のコンピュータプログラム製品。
［Ｃ４９］
前記非一時的コンピュータ可読媒体が、
前記第１のアクセスポイントに、前記第１の通信チャネルのための前記第１のチャネルレートを報告することと、前記第１の通信チャネルのための前記第１のチャネルレートが、前記第１の通信チャネルの前記最大レートに関連付けられた第３のアンテナサブセットに関連付けられる、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を行うためのコードをさらに備える、Ｃ４６に記載のコンピュータプログラム製品。
［Ｃ５０］
前記非一時的コンピュータ可読媒体が、
前記第１のアクセスポイントに、前記第１の通信チャネルの前記第１のチャネルレートと前記第３のチャネルレートとを報告すること
を行うためのコードをさらに備える、Ｃ４６に記載のコンピュータプログラム製品。
［Ｃ５１］
前記非一時的コンピュータ可読媒体が、
前記第１のアクセスポイントからアンテナ選択インジケータを受信することと、前記アンテナ選択インジケータが、アンテナ受信構成、アンテナサブセットインデックス、もしくはアンテナサブセットサイズのうちの１つ、またはそれらの組合せを指示する、
前記アンテナ選択インジケータに少なくとも部分的に基づいて、前記少なくとも１つの送信を受信するためのアンテナサブセットを決定することと
を行うためのコードをさらに備える、Ｃ５０に記載のコンピュータプログラム製品。
［Ｃ５２］
ワイヤレス通信のためのコンピュータプログラム製品であって、
第１のアクセスポイントとユーザ機器（ＵＥ）との間の第１の通信チャネル、および第２のアクセスポイントと前記ＵＥとの間の第２の通信チャネルのための、チャネルレート情報を受信することと、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、前記第１の通信チャネルと前記第２の通信チャネルとの最大合計容量に基づく、
前記受信されたチャネルレートに少なくとも部分的に基づいて、前記第１の通信チャネルおよび前記第２の通信チャネルのための、前記ＵＥのためのスケジューリング優先順位メトリックを決定することと、
前記決定されたスケジューリング優先順位メトリックに基づいて、前記第１のアクセスポイントまたは前記第２のアクセスポイントのうちの少なくとも１つと前記ＵＥとの間の通信をスケジュールすることと
を行うためのコードを備える、非一時的コンピュータ可読媒体
を備えるコンピュータプログラム製品。
［Ｃ５３］
前記受信されたチャネルレートが、前記第１の通信チャネルのための前記第３のチャネルレートを備え、ここにおいて、前記コンピュータ可読媒体が、前記第１のアクセスポイントのための、前記ＵＥのための第１のスケジューリング優先順位メトリックを決定することと、前記第１のスケジューリング優先順位メトリックから独立して、前記第２のアクセスポイントのための、前記ＵＥのための第２のスケジューリング優先順位メトリックを決定することとを行うためのコードをさらに備える、Ｃ５２に記載のコンピュータプログラム製品。
［Ｃ５４］
前記受信されたチャネルレートが、前記第１の通信チャネルのための前記第３のチャネルレートを備え、ここにおいて、前記コンピュータ可読媒体が、同時に前記第１のアクセスポイントおよび前記第２のアクセスポイントと前記ＵＥとの間の通信をスケジュールすることを行うためのコードをさらに備える、Ｃ５２に記載のコンピュータプログラム製品。
［Ｃ５５］
前記受信されたチャネルレートが、前記第１の通信チャネルのための前記第１のチャネルレートを備え、ここにおいて、前記コンピュータ可読媒体が、直交リソースを使用して、前記第１のアクセスポイントおよび前記第２のアクセスポイントと前記ＵＥとの間の通信をスケジュールすることを行うためのコードをさらに備える、Ｃ５２に記載のコンピュータプログラム製品。
［Ｃ５６］
前記受信されたチャネルレートが、前記第１の通信チャネルのための前記第１のチャネルレートと前記第３のチャネルレートとを備え、ここにおいて、前記コンピュータ可読媒体が、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定することを行うためのコードをさらに備える、Ｃ５２に記載のコンピュータプログラム製品。
［Ｃ５７］
前記非一時的コンピュータ可読媒体が、
前記スケジュールされた通信を受信するための、前記ＵＥのためのアンテナサブセットメトリックを識別することと、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送ることと
を行うためのコードをさらに備える、Ｃ５２に記載のコンピュータプログラム製品。